(57)【要約】      （修正有）【課題】機器ケーシングの本体ケース部に、シールドケースをスライド挿入して取り付けることで、安定したシールドケースの固定構造を実現する。【解決手段】シールドケース２０の一面部を本体ケース部２１の本体板部２１Ａの内面に沿わせて、開放端側から底面側板部２１Ｃが設けられている側にスライド移動させる。このスライド移動の際、シールドケース２０側の突条部２０ａは、本体ケース部２１側の規制凸部２１Ｂａａによってシールドケース２０のスライド方向Ｘに直交する方向Ｚの移動を規制されつつスライド移動する。係止凸部２０ｂが、規制凸部２１Ｂａａ上を通過する際には、弾性片部２１Ｂａが弾性変形により外側に広がり、通過後弾性片部２１Ｂａが元の位置に復帰し、その端面において係止凸部２０ｂのスライド方向Ｘの移動を係止する。【選択図】図１２
2011138987.tif 000002
【特許請求の範囲】
【請求項１】
機器ケーシングは、電子回路を内部に有するシールドケースが取り付けられる本体ケース部を有する電子機器におけるシールドケースの固定構造であって、
前記本体ケース部は、前記保持部が背面側に形成され正面側に前記シールドケースが取り付けられるもので、前記シールドケースの一面部が接触する本体板部と、この本体板部の左右両側に設けられ係合部を有する左右側板部とを有する一方、前記シールドケースの側面部に前記係合部との弾性係合関係で前記シールドケースのスライド方向およびそれに直交する方向の移動を規制する被係止部が形成され、前記本体ケース部に前記シールドケースが、前記本体ケース部の本体板部に沿って前記シールドケースの一面部をスライドさせて取り付けられるものであることを特徴とする電子機器におけるシールドケースの固定構造。
【請求項２】
前記本体ケース部の左右側板部は、一部が切り欠かれて弾性片部が形成されており、
前記弾性片部に前記係合部が形成される一方、前記シールドケースの側面部に前記被係止部が形成されていることを特徴とする請求項１記載の電子機器におけるシールドケースの固定構造。
【請求項３】
前記弾性片部は、前記シールドケースのスライド方向の移動を規制する係合部として、端面を有し、
前記シールドケースの側面部には、前記シールドケースのスライド方向の移動を規制する被係止部として、前記弾性片部の端面に接触して規制する係止凸部が形成されていることを特徴とする請求項１または２記載の電子機器におけるシールドケースの固定構造。
【請求項４】
前記弾性片部には、前記シールドケースのスライド方向に直交する方向の移動を規制する係合部として、前記弾性片部の内側に突出する規制凸部が形成され、
前記シールドケースの側面部には、前記シールドケースのスライド方向に直交する方向の移動を規制する被係止部として、前記シールドケースの側面部に沿って延び前記シールドケースのスライド方向の移動の際に前記規制凸部の基端部側を摺動する突条部が形成されていることを特徴とする請求項２記載の電子機器におけるシールドケースの固定構造。
【請求項５】
前記シールドケースの側面部には、前記シールドケースのスライド方向の移動を規制する被係止部として、前記弾性片部の端面に接触して規制する係止凸部が形成され、前記係止凸部は、側方からみて先端側になるほど高さが低く末端が前記スライド方向に直交する方向に延びる三角形状であって前記突条部と一体に形成される一方、
前記弾性片部には、前記シールドケースのスライド方向に直交する方向の移動を規制する係合部として、前記弾性片部の内側に突出する規制凸部が形成され、前記係止凸部を規制する弾性片部の端面は、前記規制凸部の端面であることを特徴とする請求項２記載の電子機器におけるシールドケースの固定構造。
【発明の詳細な説明】
【技術分野】
【０００１】
この発明は、分配器、ブースター、コンバーター、混合器などの電子機器におけるシールドケースの固定構造に関するものである。
【背景技術】
【０００２】
電子機器におけるシールドケースの固定構造として、ダイカスト製のシールドケースを斜めにしてケース本体内に装着し、シールドケースがケース本体に収納された状態では、シールドケースの側壁の下部に形成された突部がケース本体の支持面に載置され、シールドケースの下面はケース本体の底壁に形成されている突出部（シールドケース支持部）に載置され、その収納状態で蓋にて閉塞される構造は知られている（例えば、特許文献１参照）。
【先行技術文献】
【特許文献】
【０００３】
【特許文献１】特開平９−４６０８１号公報
【発明の概要】
【発明が解決しようとする課題】
【０００４】
このような構造では、シールドケースをケース本体に安定した状態で収納し、蓋をしているだけであるので、シールドケースの支持は不安定である。
【０００５】
この発明は、機器ケーシングの本体ケース部に、シールドケースをスライド挿入して取り付けることで、安定した固定構造を実現できる電子機器におけるシールドケースの固定構造を提供することを目的とする。
【課題を解決するための手段】
【０００６】
請求項１の発明は、機器ケーシングは、電子回路を内部に有するシールドケースが取り付けられる本体ケース部を有する電子機器におけるシールドケースの固定構造であって、前記本体ケース部は、前記保持部が背面側に形成され正面側に前記シールドケースが取り付けられるもので、前記シールドケースの一面部が接触する本体板部と、この本体板部の左右両側に設けられ係合部を有する左右側板部とを有する一方、前記シールドケースの側面部に前記係合部との弾性係合関係で前記シールドケースのスライド方向およびそれに直交する方向の移動を規制する被係止部が形成され、前記本体ケース部に前記シールドケースが、前記本体ケース部の本体板部に沿って前記シールドケースの一面部をスライドさせて取り付けられるものであることを特徴とする。
【０００７】
このようにすれば、本体ケース部（機器ケーシング）の左右側板部に形成された被係止部と、シールドケースの側面部に設けられる係合部との係合関係で、前記シールドケースのスライド方向およびそれに直交する方向の移動が規制されるので、本体ケース部に対しシールドケースを、前記シールドケースのスライド方向およびそれに直交する方向の２方向について安定した係止固定が実現される。
【０００８】
請求項２に記載のように、前記本体ケース部の左右側板部は、一部が切り欠かれて弾性片部が形成されており、前記弾性片部に前記係合部が形成される一方、前記シールドケースの側面部に前記被係止部が形成されている構成とすることができる。
【０００９】
このようにすれば、シールドケースの被係止部と本体ケース部における弾性片部の係合部との係合関係で前記シールドケースのスライド方向およびそれに直交する方向の移動が規制される。
【００１０】
請求項３に記載のように、前記弾性片部は、前記シールドケースのスライド方向の移動を規制する係合部として、端面を有し、前記シールドケースの側面部には、前記シールドケースのスライド方向の移動を規制する被係止部として、前記弾性片部の端面に接触して規制する係止凸部が形成されていることが望ましい。
【００１１】
このようにすれば、弾性片部を利用することで、シールドケースの係止凸部と弾性片部の端面との係合関係で、シールドケースの前記スライド方向の移動を規制する構造を簡単に構成することができる。
【００１２】
請求項４に記載のように、前記弾性片部には、前記シールドケースのスライド方向に直交する方向の移動を規制する係合部として、前記弾性片部の内側に突出する規制凸部が形成され、前記シールドケースの側面部には、前記シールドケースのスライド方向に直交する方向の移動を規制する被係止部として、前記シールドケースの側面部に沿って延び前記シールドケースのスライド方向の移動の際に前記規制凸部の基端部側を摺動する突条部が形成されている構成とすることが望ましい。
【００１３】
このようにすれば、弾性片部を利用することで、シールドケースの、前記スライド方向に直交する方向の移動を規制する構造を簡単に構成することができる。
【００１４】
請求項５に記載のように、前記シールドケースの側面部には、前記シールドケースのスライド方向の移動を規制する被係止部として、前記弾性片部の端面に接触して規制する係止凸部が形成され、前記係止凸部は、側方からみて先端側になるほど高さが低く末端が前記スライド方向に直交する方向に延びる三角形状であって前記突条部と一体に形成される一方、前記弾性片部には、前記シールドケースのスライド方向に直交する方向の移動を規制する係合部として、前記弾性片部の内側に突出する規制凸部が形成され、前記係止凸部を規制する弾性片部の端面は、前記規制凸部の端面である構成とすることができる。
【００１５】
このようにすれば、弾性片部を利用することで、係止凸部が規制凸部を乗り越え、乗り越えた後に規制凸部の端面で係止される構造を簡単に構成することができる。
【発明の効果】
【００１６】
本発明は、上記のように構成したので、本体ケース部（機器ケーシング）の左右側板部に形成された被係止部と、シールドケースの側面部に設けられる係合部との係合関係で、前記シールドケースのスライド方向およびそれに直交する方向の移動が規制され、本体ケース部に対しシールドケースを、前記シールドケースのスライド方向およびそれに直交する方向の２方向について安定した係止固定を実現することができる。
【図面の簡単な説明】
【００１７】
【図１】本発明に係る電子機器におけるシールドケースの固定構造に用いられる電子機器を正面側から見た状態を示すを斜視図である。
【図２】同電子機器を背面側から見た状態を示すを斜視図である。
【図３】前記電子機器を、マスト取付金具を取り除いた状態で示す底面図である。
【図４】前記電子機器をマストに固定した状態を、正面側から見た斜視図である。
【図５】前記電子機器をマストに固定した状態を、背面側から見た斜視図である。
【図６】前記電子機器をマストに固定した状態を、右側面上方から見た斜視図である。
【図７】前記電子機器をマストに固定した状態の平面図である。
【図８】（ａ）は電子機器からマスト取付金具を取り外した状態を示す分解斜視図、（ｂ）はボルト部材の正面図である。
【図９】前記電子機器の左側面図である。
【図１０】図９のＡ−Ａ方向の断面図である。
【図１１】図９のＢ−Ｂ方向の断面図である。
【図１２】機器ケーシングとシールドケースとの関係を示す分解斜視図である。
【図１３】図９のＣ−Ｃ方向の断面図である。
【図１４】図３のＤ−Ｄ方向の断面図である。
【図１５】図７のＥ−Ｅ方向の断面図である。
【図１６】（ａ）（ｂ）はシールドケースを本体ケース部に取り付ける取付手順の説明図である。
【図１７】（ａ）（ｂ）は本体ケース部にケースカバー部を取り付ける取付手順の説明図である。
【図１８】（ａ）〜（ｃ）はそれぞれ電子機器の他の例を示す図である。
【図１９】（ａ）（ｂ）はそれぞれ防水キャップを取り付ける場合の説明図である。
【発明を実施するための形態】
【００１８】
以下、本発明の実施の形態を図面に沿って説明する。なお、説明においては、本体部４が設けられている側を正面側として、取付部６Ａ，６Ｂが設けられている側を底面側として説明する。
【００１９】
図１〜図４に示すように、電子機器１（例えば２分配器）の機器本体２における機器ケーシング３は、直方体形状の本体部４と、その本体部４の背面側に突出して一体的に設けられ外周部が本体部４の外周部より内方に位置する保持部５とを備えている。この保持部５にマストＭに電子機器１を取り付けるためのマスト固定金具１１が取り外し可能に保持されている。本体部４の下部には、屋外のマストだけでなく、壁面等の取付面にも電子機器１を取り付けることができるように、取付部６Ａ，６Ｂが設けられ、その取付部６Ａ，６Ｂには電子機器を取り付けるための取付ネジ１５が設けられている。
【００２０】
図１および図２に示す状態では、マスト固定具１１は収納状態にあり、マストＭに前記電子機器を取り付ける際には、図４〜図７に示すように、マスト固定金具１１を介してマストＭに機器ケーシング３（電子機器）が固定される。なお、この機器ケーシング３の本体部４内には、高周波信号を処理する電子回路を内部に有するシールドケース２０が収容され、本体部４の下面には信号を入出力するＦ型コネクタ８（接栓）が下方に突出するように複数設けられている。
【００２１】
マスト固定金具１１は、図８（ａ）に示すように、ボルト部材１２、押さえ金具１３（押さえ部材）および１つの蝶ナット１４（ナット部材）によって構成される。
【００２２】
ボルト部材１２は、図８（ｂ）に示すように、線材がコ字形状に折り曲げて形成されたもので、係止棒部１２Ａと、この係止棒部１２Ａと平行に延びるネジ棒部１２Ｂと、係止棒部１２Ａとネジ棒部１２Ｂとの基端を相互に連結する連結棒部１２Ｃとを備え、連結棒部１２Ｃを回転軸として保持部５に対して回転可能に保持されている。係止棒部１２Ａには、押さえ金具１３の一端部を係止可能である複数の係止凹部１２Ａａ，１２Ａａ、・・・が一定間隔でもって規則的に設けられている。この各係止凹部１２Ａａは、押さえ金具１３の切り欠き１３ａが係合した状態で、押さえ金具１３が係止棒部１２Ａの先端側あるいは基端側に移動するのを規制する機能を有する。
【００２３】
なお、１つの係止凹部１２Ａａは、断面円形状の棒状部分の外周面より外方に突出する２つの突出部１２Ａｂが設けられることで、それらの間に設けられていることになる。この突出部１２Ａｂは、係止棒部１２Ａの一部をつぶして外方に突出させて形成したものであり、機器ケーシング３（電子機器）が固定される複数種類のマストの直径に対応する位置を含むように一定間隔で設けられている。つまり、保持部５はマストＭが嵌り込む凹部５ａが形成されいるので、図７に示すように、マストＭの直径が例えばＬの場合にはその直径Ｌに対応する係止凹部１２Ａａを選択して切り欠き１３ａを係合させれば、凹部５ａと押さえ金具１３との間にマストＭを挟持して固定することができる。この係止凹部１２Ａａが、機器ケーシング３（電子機器）が固定されるマストＭの直径に対応する位置に少なくとも設けられているからである。
【００２４】
押さえ金具１３は、平板状の金具本体１３Ａ（本体部）と、その金具本体１３Ａの上下両側において同一方向に平行に延びる２つの側板部１３Ｂ，１３Ｃとにより断面コ字形状に形成されている。そして、押さえ金具１３（金具本体１３Ａ）の一方の端部側には、一方の側板部１３Ｃまで延び係止棒部１２Ａに係脱可能に係合する切り欠き１３ａが、他方の端部側にはネジ棒部１２Ｂが挿通される挿通穴１３ｂがそれぞれ形成されている。そして、挿通穴１３ｂを貫通して突出するネジ棒部１２Ｂの雄ネジ１２Ｂａに蝶ナット１４が螺合されている。また、側板部１３Ｂ，１３ＣにはマストＭの外周面に接触する凹部１３Ｂａ，１３Ｃａが形成されている。なお、金具本体１３Ａは中央部に凹み部１３ｃが形成され、必要な剛性が確保されている。
【００２５】
ネジ棒部１２Ｂは、マストに取り付ける際に係止棒部１２Ａが位置する側に蝶ナット１４を回転することで締め付けられるように雄ネジ１２Ｂａが形成されており、締め付けのための蝶ナット１４を回転する回転方向Ｒ１と押さえ金具１３の切り欠き１３ａが係止凹部１２Ａａに係合する方向Ｒ２とが一致し、同じ方向となっている（図５参照）。
【００２６】
よって、切り欠き１３ａがいずれかの係止凹部１２Ａａに係合した状態では、蝶ナット１４を回転して締め付ける際に、係止凹部１２Ａａによって押さえ金具１３が係止棒部１２Ａに対し軸線方向に移動したり外れたりするのが防止されるので、作業者が押さえ金具１３を手で押さえたりすることなく、固定することができる。
【００２７】
また、図９〜図１１に示すように、保持部５の上端部５ｅは平坦面（保持面）として形成され、下端部は、本体部４側の凹部５ｂとそれの外側の受け部５ｃとして形成されている。この受け部５ｃには、さらに、ボルト部材１２の収納状態において、連結棒部１２Ｃが係合する係合凹部５ｄが形成されている。
【００２８】
また、本体部４と取付部６Ａ，６Ｂとが連結部７Ａ，７Ｂを介して連結され、その連結部７Ａ，７Ｂによって取付部６Ａ，６Ｂと保持部５との間には貫通穴９Ａ，９Ｂが形成されている。この連結部７Ａ，７Ｂの上側には、マストＭへの取付状態で、ボルト部材１２の係止棒部１２Ａとネジ棒部１２Ｂとの基端部付近が係合し、両棒部１２Ａ，１２Ｂを水平に支持する係合凹部７Ａａ，７Ｂａが形成されている。
【００２９】
そして、ボルト部材１２は、連結棒部１２Ｃが受け部５ｃの係合凹部５ｄに係合し、係止棒部１２Ａとネジ棒部１２Ｂとが保持部５両側の貫通穴９Ａ，９Ｂを下側から挿通している収納状態（このとき、押さえ金具１３は、保持部５の上端部５ｅ上に載せられている）と、連結棒部１２Ｃが凹部５ｂ内に位置し係止棒部１２Ａとネジ棒部１２Ｂとの基端部が連結部７Ａ，７Ｂの係合凹部７Ａａ，７Ｂａに係合するマスト取付状態とを取りうるようになっている。なお、このように、ボルト部材１２の係止棒部１２Ａとネジ棒部１２Ｂを水平に支持する際に、係合凹部７Ａａ，７Ｂａに、ボルト部材１２の係止棒部１２Ａとネジ棒部１２Ｂとの基端部を係合できるように、凹部５ｂは、係合凹部７Ａａ，７Ｂａの位置よりも上方まで深く延び、ボルト部材１２を、連結棒部１２Ｃを回転軸としての回転を許容するようになっている。
【００３０】
機器ケーシング３の本体部４は、図１２〜図１５に示すように、保持部５が背面側に形成され正面側にシールドケース２０が取り付けられる本体ケース部２１と、この本体ケース部２１内のシールドケース２０を覆うように嵌め込まれるケースカバー部２２とにより構成される。このシールドケース２０の内部には、電子回路（図示せず）が収納され、複数のコネクタ８が突出している。
【００３１】
この本体ケース部２１は、シールドケース２０の一面部が接触する本体板部２１Ａと、この本体板部２１Ａの左右両側に設けられる左右側板部２１Ｂ，２１Ｂと、左右側板部２１Ｂ，２１Ｂの一端部側および本体板部２１Ａとを結合する底面側板部２１Ｃとを有し、本体ケース部２１に、シールドケース２０が、本体ケース部２１の本体板部２１Ａにシールドケース２０の一面部をスライドさせて取り付けられるものである。底面側板部２１Ｃには、シールドケース２０（電子回路）から突出する複数のコネクタ８がが挿通される筒状部２１Ｃａおよび、ＬＥＤ３１を覆うＬＥＤカバー３２の凸部３２ａが嵌め込められるＬＥＤ取付穴２１Ｃｄが形成されている。また、底面側板部２１Ｃには、シールドケース２０を取り付ける際に、シールドケース２０の下端面が接触して位置規制するための規制リブ２１Ｃｅが設けられている（図１４参照）。
【００３２】
ケースカバー部２２は、本体板部２１Ａに沿って移動させることで本体ケース部２１に取り付けられるものであり、その取り付けられた状態で本体ケース部２１の本体板部２１Ａにシールドケース２０を介して対向する正面側面板部２２Ａと、本体ケース部２１の左右側板部２１Ｂ，２１Ｂの外側に位置する左右側面板部２２Ｂ，２２Ｂと、本体板部２１Ａの後側に位置する背面側面板部２２Ｃとを有する。正面側面板部２２Ａの内側にはシールドケース２０に当接する補強リブ２２Ａａ，２２Ａａが形成されている。この補強リブ２２Ａａの先端部分は、正面側面板部２２Ａから離れた自由端である嵌合端部２２Ａａａ（図３参照）となっており、ケースカバー部２２が本体ケース部２１に弾性的に嵌め込まれた状態で、本体ケース部２１の底面側板部２１Ｃに形成される嵌合穴２１Ｃｃに嵌合されるようになっている。
【００３３】
背面側面板部２２Ｃは、下方側が開放された矩形状の開口２２Ｃａが形成されており、それの両側には、図１３に示すように、本体ケース部２１の本体板部２１Ａの案内凹溝２１Ａｂ，２１Ａｂにスライド可能に係合する案内凸部２２Ｃｂ，２２Ｃｂが形成されている。
【００３４】
左右側板部２１Ｂは、一部が切り欠かれて、弾性片部２１Ｂａが形成されている。つまり、本体板部２１Ａとの結合部分を残して、底面側板部２１Ｃ側に上方が開放される矩形状の第１の切り欠き２１Ｂｂが形成され、弾性片部２１Ｂａを挟んで上方および側方が開放される矩形状の第２の切り欠き２１Ｂｃが形成されている。よって、両切り欠き２１Ｂｂ，２１Ｂｃの間に、矩形状の弾性片部２１Ｂａが形成されることになる。
【００３５】
この弾性片部２１Ｂａ（側板部２１Ｂ）の内側には、先端縁側において所定幅でもって突出する規制凸部２１Ｂａａ（係合部）が形成されている。この規制凸部２１Ｂａａは、シールドケース２０のスライド方向Ｘに直交する、シールドケース２０の厚さ方向Ｚの移動を規制する係合部として機能する。また、第１の切り欠き２１Ｂｂに臨む、弾性片部２１Ｂａの端面２１Ｂａｂ（前記スライド方向Ｘに直交する方向Ｚに延びる端面）が、前記スライド方向Ｘの移動を規制する係合部として機能する。そして、弾性片部２１Ｂａ自体は、シールドケース２０のスライド方向Ｘに直交する、シールドケース２０の幅方向Ｙの移動を規制するようになっている。
【００３６】
また、シールドケース２０の左右側面部には、弾性片部２１Ｂａの規制凸部２１Ｂａａおよび端面２１Ｂａｂとの係合関係で前記スライド方向Ｘに直交する方向Ｚおよび前記スライド方向Ｘの移動を規制するための被係止部として突条部２０ａおよび係止凸部２０ｂが形成されている。突条部２０ａは、規制凸部２１Ｂａａとの係合関係でスライド方向Ｘに直交する方向Ｚの移動を規する被係止部として、係止凸部２０ｂは、端面２１Ｂａｂとの係合関係で前記スライド方向Ｘの移動を規制する被係止部として機能する。突条部２０ａは、シールドケース２０の側面部に沿って延びシールドケース２０のスライド移動の際に規制凸部２１Ｂａａの基端部側を摺動するようになっており、係止凸部２０ｂは、弾性片部２１Ｂａの端面２１Ｂａｂに接触して前記スライド方向Ｘの移動を規制するようになっている。この係止凸部２０ｂは、側方からみて先端側になるほど高さが低く末端が前記スライド方向Ｘに直交する方向Ｚに延びる三角形状であって、突条部２０ａと一体に形成されている。そして、この突条部２０ａと係止凸部２０ｂの、シールドケース２０の表面からの突出量は同じ量となっている。
【００３７】
また、本体ケース部２１の左右側板部２１Ｂには、図１４に示すように、第１の係合凸部２１Ｂｄが形成される一方、ケースカバー部２２の左右側面板部２２Ｂには、ケースカバー部２２が本体ケース部２１に弾性的に嵌め込まれた状態で、第１の係合凸部２１Ｂｄに係脱可能に係合する第１の被係合凹部２２Ｂａが形成されている。そして、ケースカバー部２２が本体ケース部２１に弾性的に嵌め込まれた状態では、ケースカバー部２２の差し込み側の先端が、底面側板部２１Ｃよりもさらに下方に突出し、その状態で係合凸部２１Ｂｄが被係合凹部２２Ｂａに係合している。ここで、本体ケース部２１の左右側板部２１Ｂに被係合凹部が、ケースカバー部２２の左右側面板部２２Ｂに係合凸部がそれぞれ形成されているようにすることも可能である。
【００３８】
また、図１５に示すように、本体ケース部２１の本体板部２１Ａの上端部にも第２の係合凸部２１Ｂｅが形成され、ケースカバー部２２の背面側面板部２２Ｃの上側に、開口２２Ｃａに臨む被係合凹部２２Ｃｃが形成されている。ケースカバー部２２が本体ケース部２１に弾性的に嵌め込まれた状態で、被係合凹部２２Ｃｃに第２の係合凸部２１Ｂｅが係脱可能に係合する。
【００３９】
続いて、機器ケーシング１内にシールドケース２０（電子回路）を収納する手順について説明する。
【００４０】
まず、図１６（ａ）（ｂ）に示すように、シールドケース２０の一面部を本体ケース部２１の本体板部２１Ａの内面に沿わせて、開放端側から底面側板部２１Ｃが設けられている側にスライド移動させる。このスライド移動の際、シールドケース２０側の突条部２０ａは、本体ケース部２１側の規制凸部２１Ｂａａによってケース厚さ方向Ｚの移動を規制されつつスライド移動する。第２の係止凸部２０ｂが、規制凸部２１Ｂａａ上を通過する際には、弾性片部２１Ｂａが弾性変形により外側に広がり、通過が許容され、通過後、底面側板部２１Ｃの規制リブ２１Ｃｅにシールドケース２０の下端面が接触するとともに弾性片部２１Ｂａが元の位置に復帰し、その端面２１Ｂａｂにおいて係止凸部２０ｂのスライド方向Ｘの移動を係止する。これによりシールドケース２０が本体ケース部２１の本体部２１Ａから不用意に外れないように取り付けられる。この状態では、シールドケース２０（電子回路）から突出するコネクタ８が底面側板部２１Ｃの筒状部２１Ｃａに挿通されている。
【００４１】
このシールドケース２０を取り付ける際に、まず、ＬＥＤ３１を覆うＬＥＤカバー３２の凸部３２ａがＬＥＤ取付穴２１Ｃｄに嵌め込まれ、それからシールドケース２０が取り付けられる。このようにＬＥＤカバー３２を一緒に取り付けるようにしている関係で、コネクタ８間の間隔が左右で異なっており、シールドケース２０（電子回路）を左右反転した状態で挿入するという誤挿入が回避される。
【００４２】
さらに、図１７（ａ）（ｂ）に示すように、ケースカバー部２２の背面側面板部２２Ｃの案内凸部２２Ｃｂを、本体ケース部２１の本体板部２１Ａの案内凹溝２１Ａｂに係合させ、シールドケース２０の取付けの場合と同様に、スライド移動させる。このスライド移動のとき、本体ケース部２１Ａの案内凹溝２１Ａｂにケースカバー部２２の案内凸部２２Ｃｂが係合した状態でスライド移動させるので、ケースカバー部２２が浮き上がることもなく、安定したスライド移動となる。そして、最終的に、本体ケース部２１側の係合凸部２１Ｂｄとケースカバー部２２側の被係合凹部２２Ｂａとが係脱可能に係合することになる。
【００４３】
このようにして、ケースカバー部２２が本体ケース部２１に弾性的に嵌め込まれた状態で、ケースカバー部２２の側面板部２２Ｂの被係合凹部２２Ｂａに、本体ケース部２１の左右側板部２１Ｂの係合凸部２１Ｂｄに係脱可能に係合し、補強リブ２２Ａａ先端の嵌合端部２２Ａａａが底面側板部２１Ｃの嵌合穴２１Ｃｃに嵌合している。このようにして、本体ケース部２１にケースカバー部２２が強固に固定され、防水も確保される。
【００４４】
また、これにより弾性片部２１Ｂａもケースカバー部２２によって外側から押さえられ、弾性片部２１Ｂａの係合が解除されにくくなっている。つまり、弾性片部２１Ｂａを介してケースカバー部２２によってシールドケース２０の幅方向Ｙの移動が規制される。
【００４５】
また、ケースカバー部２２が本体ケース部２１に弾性的に嵌め込まれた状態で、ケースカバー部２２の差し込み側の先端縁２２ａが、底面側板部２１Ｃよりもさらに下方に突出しているので、ケースカバー部２２を本体ケース部２１にどのように取り付けているかがわかりにくくなる。
【００４６】
前記実施の形態のほか、本発明は次のように変更して実施することができる。
【００４７】
(i)前記実施の形態では、電気機器としての２分配器に適用したものであるが、図１８（ａ）〜（ｃ）に示すように、４分配器である電子機器１Ａにも適用できるのはもちろん、ブースター、コンバーター、混合器にも適用することができる。
【００４８】
(ii)前記実施の形態では、直径が異なる複数種類のマストに固定することができるように係止凹部を係止棒部１２Ａに一定の間隔で複数設けているが、電子部品が固定されるマストが一種類でマストの直径が一定である場合には、係止凹部を複数設ける必要はなく、１つだけ設ければよいのはもちろんである。また、取付けが予定されているマストの直径に対応する複数位置にのみ、係止凹部を設けることもできる。
【００４９】
(iii)前記実施の形態では、係止凹部（突出部）を、例えば転造により係止棒部１２Ａの一部をつぶすことで形成しているが、そのような押しつぶして形成する係止部に制限されることなく、他の加工方法で形成することができる係止部としてもよいのはいうまでもない。また、突出部の形状は、円板形状である必要はなく、切り欠きに係合して押さえ金具を係止できる形状であればよい。よって、係止凹部を全周に形成する必要はなく、一部にのみ形成するだけでも、押さえ金具の軸線方向の移動を規制できる形状であればよい。
【００５０】
(iv)前記実施の形態では、押さえ金具１３の、ネジ棒部１２Ｂが挿通される挿通部を挿通穴１３ｂとしているが、それに限定されるものではなく、切り欠きとして、ボルト部材の一側からボルト部材に対し差し込めるようにすることも可能である。この場合、この係止棒部１２Ａが挿通される切り欠きは、ネジ棒部１２Ｂが挿通される切り欠きの延びる方向は平行である必要はない。
【００５１】
(v)前記実施の形態では、係止棒部１２Ａやネジ棒部１２Ｂは直線状であるが，必ずしもその必要はなく、マストの外周面に対応させて屈曲形状や湾曲形状とすることも可能である。
【００５２】
(vi)前記実施の形態では、コネクタ８については具体的に説明していないが、コネクタ８は、高周波信号を送受するために同軸ケーブルの先端に設けたＦ型コネクタを接続して使用され、屋外で使用する場合には、図１９（ａ）（ｂ）に示すように、コネクタ８と同軸ケーブルのコネクタ（図示せず）の接続部分を覆うように防水キャップ４１が設けられるものである。この防水キャップ４１は、本体部４１Ａの上側に挿入部４１Ｂが設けられ、その挿入部４１Ｂの長さが、コネクタ８が挿通される本体ケース部２１の筒状部２１Ｃａの長さに応じて設定される。この挿入部４１Ｂは、筒状部２１Ｃａにほぼ等しい長さを有し、挿入後筒状部２１Ｃａの内側に位置する係止部４１Ｂａと、挿入後筒状部２１Ｃａの外側に位置するフランジ部４１Ｂｂとを有し、全体としては筒状部２１Ｃａに挿入しやすいように先細のテーパ筒状に形成されている。
【００５３】
(vii)前記実施の形態では、押さえ金具は、金具本体が平板状となっているが、本発明はそれに限定されるものではなく、例えば特開２００７−１２８００号公報に記載されるように、くの字形状に屈曲されていてもよいのはいうまでもない。また、ボルト部材を保持する構造も、前記実施の形態のように貫通穴９Ａ，９Ｂに下側から貫通して保持するものに限らず、特開２００７−１２８００号公報に記載されるように、保持部に形成される幅方向の貫通孔にボルト部材を挿通して保持させる構造とすることも可能である。
【符号の説明】
【００５４】
Ｍ    マスト
１    電子機器
２    機器本体
３    機器ケーシング
４    本体部
５    保持部
１１    マスト固定金具
１２    ボルト部材
１２Ａ    係止棒部
１２Ａａ    係止凹部
１２Ｂ    ネジ棒部
１２Ｃ    連結棒部
１３    押さえ金具
１３Ａ    金具本体
１３Ｂ，１３Ｃ    側板部
１３ａ    切り欠き
１３ｂ    挿通穴
１４    蝶ナット（ナット部材）
２０    シールドケース
２０ａ    突条部
２０ｂ    係止凸部
２１    本体ケース部
２１Ａ    本体板部
２１Ｂ    側板部
２１Ｂａ    弾性片部
２１Ｂａａ    規制凸部
２１Ｂａｂ    端面
２１Ｂｄ    係合凸部
２１Ｂｅ    係合凸部
２１Ｃ    底面側板部
２１Ｃａ    筒状部
２２    ケースカバー部
【図１】
2011138987.tif 000003
【図２】
2011138987.tif 000004
【図３】
2011138987.tif 000005
【図４】
2011138987.tif 000006
【図５】
2011138987.tif 000007
【図６】
2011138987.tif 000008
【図７】
2011138987.tif 000009
【図８】
2011138987.tif 000010
【図９】
2011138987.tif 000011
【図１０】
2011138987.tif 000012
【図１１】
2011138987.tif 000013
【図１２】
2011138987.tif 000014
【図１３】
2011138987.tif 000015
【図１４】
2011138987.tif 000016
【図１５】
2011138987.tif 000017
【図１６】
2011138987.tif 000018
【図１７】
2011138987.tif 000019
【図１８】
2011138987.tif 000020
【図１９】
2011138987.tif 000021